(57)【要約】【課題】同一色相を有しかつ濃度の異なるインクを用いて記録を行うインクジェット記録装置において、記録媒体の出力濃度を適正に保ちつつ光沢ムラの発生を低減する。【解決手段】同一の色相を有する濃インクおよび淡インクを用いてインクジェット記録を行う。この際、記録媒体の記録面における光沢度を検出する検出手段３０を設ける。そして、濃インクおよび淡インクによって表現される色の濃度値を入力画像信号に応じた値に保ちつつ、記録媒体の記録面における光沢度に応じて、濃インクおよび淡インクの記録媒体への打ち込み量を変更する。【選択図】図１
2007152851.tif 000002
【特許請求の範囲】
【請求項１】
同一の色相を有する濃インクおよび淡インクを含む複数色のインクを、入力画像信号に応じて吐出させることにより記録媒体上に画像を記録するようにしたインクジェット記録装置において、
前記記録媒体の記録面における光沢度を検出する検出手段と、
前記濃インクおよび前記淡インクによって表現される色の濃度値を前記入力画像信号に応じた値に保ちつつ、前記検出手段によって検出された前記記録媒体の記録面における光沢度に応じて、前記濃インクおよび前記淡インクの前記記録媒体への打ち込み量を変更する変更手段と、を備えた特徴とするインクジェット記録装置。
【請求項２】
前記変更手段は、前記淡インクと前記濃インクの打ち込み量の比率および前記両インクの打ち込み量を、前記検出手段により検出された記録媒体の記録面における光沢度に応じて変更することを特徴とする請求項１に記載のインクジェット記録装置。
【請求項３】
前記変更手段は、入力画像信号によって表される色信号を、前記濃インクおよび淡インクを含む複数色のインクに対応した色信号に変換する信号処理手段であって、
前記信号処理手段は、前記濃インクおよび前記淡インクによって表現される色の濃度値を前記入力画像信号に応じた値に保ちつつ、前記濃インクの濃度を表す信号値と、前記淡インクの濃度を表す信号値との比率を、前記検出手段により検出された記録媒体の記録面における光沢度に応じて変更することを特徴とする請求項１または２に記載のインクジェット記録装置。
【請求項４】
前記信号処理手段は、加法混色における三原色の色信号からなる入力画像信号を、記録媒体に吐出するインクの組み合わせに対応した色信号に変換するテーブルを２種類備えると共に、前記記録媒体の記録面における光沢度に応じて前記各テーブルを切り替える切替手段を有し、前記各テーブルは、前記濃インクの濃度を表す信号値と、前記淡インクの濃度を表す信号値との比率が、同一の入力画像信号に対して異なることを特徴とする請求項２または３に記載のインクジェット記録装置。
【請求項５】
同一の色相を有する濃インクおよび淡インクを含む複数色のインクを、入力画像信号に応じて吐出させることにより記録媒体上に画像を記録するようにしたインクジェット記録方法において、
前記記録媒体の記録面における光沢度を検出する検出工程と、
前記濃インクおよび前記淡インクの表す色の濃度値を前記入力画像信号に応じた値に保ちつつ、前記濃インクと前記淡インクの打ち込み量を、前記検出工程により検出された前記記録媒体の記録面における光沢度に応じて変更する変更工程と、を備えた特徴とするインクジェット記録方法。
【請求項６】
入力画像信号によって表される色信号を、インクジェット記録装置において使用される同一の色相を有する濃インクおよび淡インクを含む複数色のインクに対応した色信号に変換する信号処理手段を備えた画像処理装置であって、
前記信号処理手段は、前記濃インクおよび淡インクの表す色の濃度値を前記入力画像信号に応じた値に保ちつつ、前記濃インクにおける信号値と、淡インクにおける信号値との比率を、前記インクが打ち込まれる前記記録媒体の記録面における光沢度に応じて変更することを特徴とする画像処理装置。
【発明の詳細な説明】
【技術分野】
【０００１】
本発明は、同一の色相を有する濃インクおよび淡インクを含む複数色のインクを、入力画像信号に応じて吐出させることにより記録媒体上に画像を記録するようにしたインクジェット記録装置、インクジェット記録方法および画像処理装置に関する。
【背景技術】
【０００２】
現在、プリンタ、複写機、ファクシミリ等の記録部には、画像情報に基いて、紙やプラスチック薄板等の記録媒体上にドットパターンからなる画像を記録する記録装置が用いられている。この記録装置は、記録方式によって、インクジェット記録方式、ワイヤドット方式、サ−マル方式およびレーザービーム方式等に大別される。このうちインクジェット方式を用いた記録装置（インクジェット記録装置）は、記録ヘッドの吐出口からインク滴（記録液）を吐出・飛翔させ、これを記録媒体に着弾させて記録するよう構成されている。このため、インクジェット記録装置は、静粛性に優れ、カラー化などにも容易に対応でき、かつ小型化にも適する、という利点を有している。
【０００３】
このようなインクジェットの記録装置でカラー画像を記録する場合、基本的には、シアン、マゼンタおよびイエローなどの３原色と、ブラックインクが用いられる。しかし、近年の高画質化の要求により、前述の４色のインク以外に、さらに多くのインクを使用することも行われている。例えば、画像品質の向上、粒状感の低下および均一性の向上を図るため、上記のシアンインク、マゼンタインクよりも濃度の低い、淡シアン、淡マゼンタなどのインクが使用されることも多い。また、画像を形成するインクには、一般に発色の良い染料が用いられているが、耐候性が必要な場所に掲示される画像を形成するために顔料インクも開発され、それぞれの用途にあったインクを選択的に使用できる記録装置も実施されている。
【０００４】
また、インクジェット記録装置に使用される記録媒体には、様々なタイプのものが開発されている。例えば、銀塩写真に近い光沢を有するタイプの記録媒体や、紙のベース層を樹脂でコーティングすることにより、銀塩写真に近い質感と耐水性を備えた記録媒体も開発されている。
【発明の開示】
【発明が解決しようとする課題】
【０００５】
しかしながら、顔料インクを用いたインクジェット記録装置では、光沢紙を使用した際に、次のような画質上の問題が生じる。すなわち、顔料インクを用い光沢紙に画像を形成した場合、紙面上に吐出された顔料インクの量によっては、記録媒体上に顔料インクが載っている部分と、紙の地が直接見えている部分とで、光沢感に差が生じることがある。特に、画像内での濃度差が大きい場合には光沢感の不均一が著しく、これが画像品質の低下を招く要因となっている。
【０００６】
そこで、前述のような６色のインクを用いたインクジェット記録装置により形成された画像を子細に検討した結果、光沢ムラを発生させる原因として次のようなことが明らかになった。すなわち、画像の光沢ムラは、画像濃度の上昇によって生じるだけでなく、インクの特性とインクの打ち込み量によっても変化することが本発明者の検討により明らかになった。
【０００７】
ここで、図２に淡マゼンタインクおよびマゼンタインクの光沢紙に対する打ち込み量と鏡面光沢度との関係を、図３に淡シアンインクおよびシアンインクの光沢紙に対する打ち込み量と鏡面光沢度との関係をそれぞれ示す。なお、ここで言うインクの打ち込み量とは、記録媒体上の所定面積内に設定される複数のドットの形成用のエリアの中で、実際にドットが形成されるエリアの占める割合を意味し、全エリアにドットが形成された場合を１００％のインク打ち込み量とする。
【０００８】
図２および図３に示すように、淡シアンインクと淡マゼンタインクによって記録された部分は、インク打ち込み量が増加するにつれて極端に光沢度が変化した。これ対し、通常濃度のシアンインクとマゼンタインク（以下、これらのインクを濃シアンインク、濃マゼンタインクとも言う）は、打ち込み量が変化しても光沢度の変化は少なかった。なお、ここで図示していない通常濃度のイエロー、ブラックについても、通常濃度のシアン、マゼンタインクと同様の結果が得られた。
【０００９】
光沢紙に顔料インクで記録を行った場合、淡インクの打ち込み量が最大であるとき、その記録部分の鏡面光沢度は最大となる。これに対し、濃インクでは、光沢紙に最大量のインクを打ち込んだ場合にも、その部分は比較的低い光沢度を呈する。また、光沢紙の中でインクが打ち込まれていない部分、つまり光沢紙の記録面自体の光沢度は、濃インクが吐出されている部分の光沢度より低い。このため、淡インクが打ち込まれた領域と、インクが打ち込まれていない領域または濃インクによって打ち込まれた領域とが隣接する場合、隣接する領域の間で大きな光沢度の差が生じる。この光沢度の差が視覚によって光沢ムラと認識され、画像品質の低下を招くこととなる。
【００１０】
本発明は、同一色相を有しかつ濃度の異なるインクを用いたインクジェット記録において、記録媒体に対する出力画像濃度を適正に保ちつつ、光沢ムラの発生を低減することを目的とする。
【課題を解決するための手段】
【００１１】
本発明の第１の形態は、同一の色相を有する濃インクおよび淡インクを含む複数色のインクを、入力画像信号に応じて吐出させることにより記録媒体上に画像を記録するようにしたインクジェット記録装置において、前記記録媒体の記録面における光沢度を検出する検出手段と、前記濃インクおよび前記淡インクによって表現される色の濃度値を前記入力画像信号に応じた値に保ちつつ、前記検出手段によって検出された前記記録媒体の記録面における光沢度に応じて、前記濃インクおよび前記淡インクの前記記録媒体への打ち込み量を変更する変更手段と、を備えた特徴とする。
【００１２】
本発明の第２の形態は、同一の色相を有する濃インクおよび淡インクを含む複数色のインクを、入力画像信号に応じて吐出させることにより記録媒体上に画像を記録するようにしたインクジェット記録方法において、前記記録媒体の記録面における光沢度を検出する検出工程と、前記濃インクおよび前記淡インクの表す色の濃度値を前記入力画像信号に応じた値に保ちつつ、前記濃インクと前記淡インクの打ち込み量を、前記検出工程により検出された前記記録媒体の記録面における光沢度に応じて変更する変更工程と、を備えた特徴とする。
【００１３】
本発明の第３の形態は、入力画像信号によって表される色信号を、インクジェット記録装置において使用される同一の色相を有する濃インクおよび淡インクを含む複数色のインクに対応した色信号に変換する信号処理手段を備えた画像処理装置であって、前記信号処理手段は、前記濃インクおよび淡インクの表す色の濃度値を前記入力画像信号に応じた値に保ちつつ、前記濃インクにおける信号値と、淡インクにおける信号値を、前記インクが打ち込まれる前記記録媒体の記録面における光沢度に応じて変更することを特徴とする。
【発明の効果】
【００１４】
本発明によれば、入力画像信号に対する出力濃度を適正に保ちつつ濃インクおよび淡インクの打ち込み量を記録媒体の記録面における光沢度に応じて切り替えるため、記録媒体の種類に拘わらず光沢ムラを低減でき、画像品質を向上させることができる。
【発明を実施するための最良の形態】
【００１５】
以下、本発明の実施形態を説明する。  
本実施形態におけるインクジェット記録装置は、記録ヘッドを所定方向に移動させつつインクを吐出させる主走査と、記録媒体を主走査方向と交差する方向に所定量移動させる副走査とを交互に行う、シリアル型のインクジェット記録装置となっている。また、本実施形態に用いる記録ヘッドには、ブラック（Ｋ）、淡シアン（Ｌｃ）、シアン（Ｃ）、淡マゼンタ（Ｌｍ）、マゼンタ（Ｍ）、イエロー（Ｙ）の６色分のインク吐出部が形成されており、ここから吐出させたインクによってカラー画像を形成する。
【００１６】
以下、本実施形態におけるインクジェット記録装置の概略構成を図１と共に説明する。
本実施形態におけるインクジェット記録装置では、ステッピングモータからなる搬送モータ１の駆動が、ギア群２を介して搬送ローラ３に伝達される。この搬送ローラ３とこれに対向して設けられたピンチローラ４との間には、図外の給紙部から記録媒体Ｐが送り込まれ、搬送ローラ３の回転によって副走査方向（Ｙ方向）へと送り出される。この後、搬送ローラ３によって送り出された記録媒体Ｐは、プラテン５により下方から支持されて平面性を保ちつつ上下一対の押さえローラ６、７の間に導入される。その後、記録媒体Ｐは搬送ローラ３とピンチローラ４および押さえローラ６および７とによって平面的に保持されつつ副走査方向へと間欠的に搬送される。
【００１７】
また、記録媒体Pの間欠的な搬送動作に同期して、キャリッジ８が主走査方向（Ｘ方向）に沿って往動または復動する。この往復動作中、キャリッジ８に搭載された記録ヘッドから記録媒体Ｐに向けてインクが吐出され、記録媒体上に画像が記録される。このキャリッジ８の移動は、インクジェット記録装置に設けられたＣＰＵ、ＲＯＭおよびＲＡＭなどを有する制御系回路によって制御されるキャリッジモータ（ＣＲモータ）９の駆動力を用いて行う。すなわち、ＣＲモータ９の駆動力は、プーリ１０、１１およびこれらに架け渡されたベルト１２を介してキャリッジ８に伝達される。ベルト１２がキャリッジモータ９の正転および逆転に伴って、正方向および逆方向に移動することにより、キャリッジ８はＸ方向に延在するガイドシャフト１３に沿って往動および復動する。なお、このキャリッジ８には、記録ヘッドに設けられた前述の６色分のインク吐出部に対し、それぞれインクを供給するインクタンク１４〜１９が交換可能に搭載される。
【００１８】
また、記録媒体Ｐの搬送経路に対向して記録媒体Ｐの記録面における光沢度を検出する光沢度検出器３０が設けられている。図２は、この光沢度検出器３０の概略構成を示す断面図である。
【００１９】
図２において、この光沢度検出器３０の筐体部３１内には、記録媒体Ｐの記録面に対し所定の入射角で光を発する発光部３２と、記録媒体Ｐの記録面で反射された光を受光する第１の受光部３３と、第２の受光部３４とからなる。このうち、第１の受光部３３は発光素子３２から発せられた光のうち記録媒体Ｐ上で正反射された光を受光する角度で配置され、第２の受光部３４は記録媒体Ｐと直交する方向に乱反射された光を受光する角度で配置される。また、図中、３５は前記発光部３２、第１の受光部３３および第２の受光素子３４を制御する制御回路である。
【００２０】
上記の光沢度検出器３０は、記録媒体Ｐの記録面に記録動作が開始される前にその記録面の光沢度を検出する。すなわち、搬送ローラ３とピンチローラ４とによって搬送される記録媒体Ｐは、記録動作が開始される前に上記光沢度検出器３０の下方に達し、ここで、光沢度検出器３０の発光部３２が制御回路３５によって点灯する。発光部３２から発せられた光は記録媒体Ｐの記録面に対して所定の角度で入射する。記録媒体Ｐで正反射された光を受けた第１の受光部３３は、その受光量に応じた出力信号を送出する。また、第２の受光部３４は、記録媒体Ｐ上で乱反射された光を受けてその受光量に応じた出力信号を送出する。各受光部３３、３４から送出された出力信号を受けて、インクジェット記録装置内に設けられた制御系回路は、両出力信号の差分をとり、その差分が予め設定した閾値よりも大きい場合には記録媒体Ｐが光沢紙であると判断する。また、各受光部３３、３４から送出された出力信号の差分が前記閾値以下である場合には、非光沢紙であると判断する。つまり、記録面の光沢度が高い光沢紙においては、発光部から照射された光のうち、多くの光が正反射され、乱反射される光は減少する。このため、第１の受光部３３の出力信号値は高くなり、かつ第２の受光部３４における出力信号値は低くなる。従って、両信号値の差分は大きくなる。これに対し、光沢度が低い記録面を有する記録媒体では正反射される光は減少し、乱反射される光は増大する。その結果、第１の受光部３３から送出される信号値と第２の受光部３４から出力される信号値との差分は減少する。従って、第１、第２の受光部３３、３４から出力される信号値の差分によって記録媒体が光沢紙であるか否かを判別することができる。  
【００２１】
次に、本発明の実施形態における画像処理部において実施される基本的な画像処理手順を図３に基づいて説明する。  
図３は、本実施形態のインクジェット記録システムにおける画像処理部Ｊ１０００によって実行される画像データ変換処理の流れを示したブロック図である。なお、この実施形態において図４に示す画像処理部の各処理は、インクジェット記録装置に設けられたＣＰＵ、ＲＯＭ、ＲＡＭ等を有する制御系回路によって実施される。  
インクジェット記録装置内で動作するプログラムとしては、アプリケーションやプリンタドライバがあり、アプリケーションＪ０００１は記録装置で記録する画像データを作成する処理を実行する。実際の記録時にはアプリケーションで作成された画像データがプリンタドライバに渡される。
【００２２】
本実施形態におけるプリンタドライバはその処理として、前段処理Ｊ０００２、後段処理Ｊ０００３、γ補正Ｊ０００４、多値量子化であるハーフトーニングＪ０００５、および記録データ作成Ｊ０００６を行う。ここで、各処理を簡単に説明すると、前段処理Ｊ０００２は色域(Ｇａｍｕｔ)のマッピングを行う。そして、ｓＲＧＢ規格の画像データＲ、Ｇ、Ｂによって再現される色域を、記録装置によって再現される色域内に写像するためのデータ変換を行う。具体的にはＲ、Ｇ、Ｂのそれぞれが８ｂｉｔで表現されたデータを３次元のＬＵＴを用いることにより、異なる内容のＲ、Ｇ、Ｂの８ｂｉｔのデータに変換する。
【００２３】
後段処理Ｊ０００３は、上記色域のマッピングがなされたデータＲ、Ｇ、Ｂに基づき、このデータが表す色を再現するインクの組み合わせに対応した色分解データＹ、Ｍ、Ｃ、Ｋ、ＬｃおよびＬｍを求める処理を行う。ここでは前段処理と同様に、３次元ＬＵＴにて補間演算を併用して行うものとする。
【００２４】
γ補正Ｊ０００４は、後段処理Ｊ０００３によって求められた色分解データの各色のデータごとにその階調値変換を行う。具体的には、インクジェット記録装置の各色インクの階調特性に応じた１次元ＬＵＴを用いることにより、上記色分解データが記録装置の階調特性に線形的に対応づけられるような変換を行う。
【００２５】
ハーフトーニングＪ０００５は、８ビットの色分解データＹ、Ｍ、Ｃ、Ｋ、Ｌｃ、Ｌｍそれぞれについて２ビットのデータに変換する量子化を行う。本実施形態では、多値の誤差拡散法を用いて２５６階調の８ビットデータを、３階調の２ビットデータに変換する。この２ビットデータは、インクジェット記録装置で行われるドット配置パターン化処理における配置パターンを示すためのインデックスとなるデータである。
【００２６】
プリンタドライバで行う処理の最後には、記録データ作成処理Ｊ０００６によって、上記２ビットのインデックスデータを内容とする記録イメージデータに記録制御情報を加えた記録データを作成する。この後、インクジェット記録装置は、入力されてきた上記記録データに対し、ドット配置パターン化処理Ｊ０００７およびマスクデータ変換処理Ｊ０００８を行う。
【００２７】
ここで、本実施形態におけるドット配置パターン化処理Ｊ０００７について説明する。上述したハーフトーン処理では、２５６値の多値濃度情報（８ビットデータ）を３値の階調値情報（２ビットデータ）までにレベル数を下げている。しかし、実際に本実施形態のインクジェット記録装置が記録できる情報は、インクを記録するか否かの２値情報である。ドット配置パターン化処理では、０〜２の３値レベルをドットの有無を決定する２値レベルまで低減する役割を果たす。具体的には、このドット配置パターン化処理Ｊ０００７では、ハーフトーン処理部からの出力値であるレベル０〜２の２ビットデータで表現される画素ごとに、その画素の階調値（レベル０〜２）に対応したドット配置パターンを割当てる。これにより１画素内の複数のエリア各々にドットのオン・オフを定義し、１画素内の各エリアに「１」または「０」の１ビットの吐出データを配置する。このドット配置パターン化処理Ｊ０００７を終了した段階で、記録媒体に対するドットの配列パターン（記録データ）が全て決定される。従って、この記録データを記録ヘッドＪ００１０の駆動回路に入力すれば、所望の画像を記録することができる。但し、本実施形態では、マルチパス記録を実施するため、マスクデータ変換処理Ｊ０００８においては、前記記録データを各走査に分配するための処理を行う。
【００２８】
次に、上記光沢度検出器２０による判別結果に基づいて実施されるインク打ち込み量の制御を説明する。  
光沢度検出器２０によって使用する記録媒体が光沢紙であると判断された場合、入力画像信号によって表される濃度値（階調値）とインクの打ち込み量との関係は図６に示すようになる。一方、記録媒体が光沢紙でないと判断された場合、入力画像信号によって表される濃度値（階調値）とインク打ち込み量との関係は図７に示すようになる。また、図８に入力画像信号と記録媒体上に形成される画像の濃度（出力濃度）との関係を示す。
【００２９】
図６および図７では、Ｒ、Ｇ、Ｂの入力画像データによって表されるシアンの濃度信号に対し、淡シアンインクと濃マゼンタインクがどのように分けて打ち込まれているかを示している。図６および図７において、横軸の値は入力画像信号によって表される濃度値（階調値）を示しており、縦軸の値はインクの打ち込み量（％）を示している。ここで、インクの打ち込み量とは、記録媒体上の特定の面積内の複数のドットの形成エリアの中で、実際にドットが形成されたエリアの占める割合を意味し、全てのエリアにドットが形成された場合を１００％のインク打ち込み量とする。なお、図６および図７に示す関係は、淡マゼンタインクと濃マゼンタインクにおいても同様になる。
【００３０】
図６に示すように、使用される記録媒体が、光沢紙以外の記録媒体である通常記録モードの場合、２５５階調の濃度を表す入力画像信号に対し、０から６４階調までは淡シアンインクのみが使用され、６４階調からは濃シアンインクも使用される。淡シアンインクの打ち込み量は、０から６４階調まで増大し、６４階調からは階調値の上昇に伴って減少して行き、１２８階調で０になる。また、濃シアンインクの打ち込み量は、６４階調から２５５階調まで階調値の上昇に伴って増大する。このように、光沢紙以外の記録媒体を使用する場合、淡シアンのみが使用される領域と、淡シアンと濃シアンとが使用される領域の切換点は６４階調となる。
【００３１】
一方、使用される記録媒体が光沢紙である光沢ムラ緩和モードの場合、淡シアンインクのみを使用する濃度領域と、濃シアンインクと淡シアンインクとを組み合わせて使用する濃度領域との切換点は、３２階調に設定される。この場合も、淡シアンインクの打ち込み量は、０から６４階調まで増大し、その後は１２８階調まで減少する。これに対し、濃シアンインクは、３２から２５５階調まで階調値の上昇に伴って増大する。このように、淡シアンインクと濃シアンインクとを組み合わせて使用する濃度領域は、光沢紙以外の記録媒体を使用する場合の濃度領域に比べて拡大されている。加えて、淡インクの最大インク打ち込み量は、約半分に制限されている。このようにして打ち込み量を制限することにより、前記の切換点を低階調側にずらしても、記録媒体上に形成される画像濃度（出力濃度）を、濃度的に同一にすることができる。また、淡インクの打ち込み量を制御することで、図４および図５に示すように鏡面光沢度が高まることもなく、均一な光沢度の画像を形成することができる。  
なお、濃インクと淡インクの双方を使用する濃度領域と、淡インクのみを使用する濃度領域との切換点の設定や打ち込み量を制限する値などの記録条件は、記録装置の特性や要求される性能などに応じて適宜変更すれば良く、上記に限定されない。
【００３２】
以上の制御は、画像処理部Ｊ１０００における後段処理Ｊ０００３を、記録媒体が光沢紙であるか否かによって切り換えることによって行うことができる。すなわち、後段処理Ｊ０００３では、入力画像データＲ、Ｇ、Ｂに基づいて、使用するインクの組み合わせに対応した色分解データＹ、Ｃ、Ｍ、Ｌｃ、Ｌｍを作成する際、色分解テーブルを使用する。このとき使用する色分解テーブルを２種類用意し、記録媒体が光沢紙であるか否かに応じてこれらの色分解テーブルを適宜選択することにより、濃インクと淡インクに対する信号値を変更することができる。このようにして、後段処理Ｊ０００３から出力される信号値を増減させることにより、マスクデータ変換処理Ｊ０００８から記録ヘッドＪ００１０へと出力されるインクの吐出データを傾向的に増減させることができる。これにより、図６および図７に示すような濃インクと淡インクのインク打ち込み量の切り換えを行うことができる。
【００３３】
以上のように本実施形態によれば、光沢紙を使用する場合には、淡インクと濃インクとの切換点を低濃度領域側に下げると共に、両インクの打ち込み量を削減する。これにより、入力画像信号によって表される画像濃度を維持しつつ、記録媒体上の光沢ムラを低減することができる。
【００３４】
なお、上記実施形態では、図４に示す画像処理部の各処理を、インクジェット記録装置で行うものとしたが、インクジェット記録装置に接続されたホストコンピュータなどに上記画像処理部の一部または全部の機能を持たせることも可能である。
【図面の簡単な説明】
【００３５】
【図１】本発明の実施形態におけるインクジェット記録装置の概略構成を示す斜視図である。
【図２】本発明の実施形態における光沢度検出器の概略構成を示す断面図である。
【図３】本発明の実施形態における画像処理部において実施される基本的な画像交換処理の流れを示したブロック図である。
【図４】本発明の実施形態におけるインク打ち込み量と鏡面光沢度との関係を、淡マゼンタインクとマゼンタインクのそれぞれについて示す図である。
【図５】本発明の実施形態におけるインク打ち込み量と鏡面光沢度との関係を、淡シアンインクとシアンインクのそれぞれについて示す図である。
【図６】光沢紙以外の記録媒体を使用する通常記録モードにおける淡インクと濃インクとの打ち込み量を示す図である。
【図７】光沢紙を仕様する光沢ムラ緩和モードにおける淡インクと濃インクとの打ち込み量を示す図である。
【図８】入力画像信号と記録媒体上に形成される画像の濃度（出力濃度）との関係を示す図である。
【符号の説明】
【００３６】
３０  光沢度検出器
Ｊ１０００  画像処理部
Ｊ０００２  前段処理
Ｊ０００３  後段処理
Ｊ０００４  γ補正
Ｊ０００５  ハーフトーニング
Ｊ０００６  記録データの作成
Ｊ０００７  ドット配置パターン化処理
Ｊ０００８  マスクデータ変換処理
Ｊ０００９  ヘッド駆動回路
Ｊ００１０  記録ヘッド
【図１】
2007152851.tif 000003
【図２】
2007152851.tif 000004
【図３】
2007152851.tif 000005
【図４】
2007152851.tif 000006
【図５】
2007152851.tif 000007
【図６】
2007152851.tif 000008
【図７】
2007152851.tif 000009
【図８】
2007152851.tif 000010